(57)【要約】  本発明はＨＡＲＱＡＣＫ／ＮＡＣＫ転送方法及び装置に関するものであって、本発明の一実施形態に従う端末のＨＡＲＱＡＣＫ／ＮＡＣＫ送信方法は、第１セルで受信サブフレームにＰＤＳＣＨを受信する受信ステップ、上記受信されたＰＤＳＣＨに対応するＨＡＲＱ ＡＣＫ／ＮＡＣＫ送信のためのＡＣＫサブフレームを識別する識別ステップ、及び第２セルで上記選択されたＡＣＫサブフレームに上記ＨＡＲＱ ＡＣＫ／ＮＡＣＫを送信する送信ステップを含むことができる。本発明の一実施形態によれば、搬送波結合（carrier aggregation）を通じて広帯域を構成するＴＤＤ無線通信システムにおけるデータまたは制御情報転送用物理チャンネルの間の具体的なタイミングを定義してデータまたは制御チャンネルの送受信誤りまたは転送遅延の防止を可能にする。
2014509139.tif 000002
【特許請求の範囲】
【請求項１】
端末のＨＡＲＱ（Hybrid Automatic Repeat reQuest）ＡＣＫ／ＮＡＣＫ（Acknowledgement／Negative Acknowledgement）送信方法であって、
第１セルで受信サブフレームにＰＤＳＣＨ（Physical Downlink Shared Channel；物理ダウンリンク共通チャンネル）を受信する受信ステップと、
前記受信されたＰＤＳＣＨに対応するＨＡＲＱ ＡＣＫ／ＮＡＣＫ送信のためのＡＣＫサブフレームを識別する識別ステップと、
第２セルで選択されたＡＣＫサブフレームに前記ＨＡＲＱ ＡＣＫ／ＮＡＣＫを送信する送信ステップと、
を含むことを特徴とする、送信方法。
【請求項２】
前記識別ステップは、
前記受信サブフレームが前記第２セルのダウンリンクサブフレームであるかを識別するステップと、
前記受信サブフレームが前記第２セルのダウンリンクサブフレームであれば、前記第２セルに対して予め定義されたタイミング関係（timing relationship）によって前記受信サブフレームに対応するサブフレームを前記ＡＣＫサブフレームとして識別するステップと、
を含むことを特徴とする、請求項１に記載の送信方法。
【請求項３】
前記識別ステップは、
前記受信サブフレームが前記第２セルのダウンリンクサブフレームでなければ、前記タイミング関係によって前記受信サブフレームの以後、最初に到来するダウンリンクサブフレームに対応するサブフレームを前記ＡＣＫサブフレームとして識別するステップをさらに含むことを特徴とする、請求項２に記載の送信方法。
【請求項４】
前記第１セルはセカンダリー（secondary）セルであり、前記第２セルはプライマリー（primary）セルであることを特徴とする、請求項２に記載の送信方法。
【請求項５】
ＨＡＲＱ（Hybrid Automatic Repeat reQuest）ＡＣＫ／ＮＡＣＫ（Acknowledgement／Negative Acknowledgement）を送信する端末であって、
第１セルで受信サブフレームにＰＤＳＣＨ（Physical Downlink Shared Channel；物理ダウンリンク共通チャンネル）を受信する受信部と、
前記受信されたＰＤＳＣＨに対応するＨＡＲＱ ＡＣＫ／ＮＡＣＫ送信のためのＡＣＫサブフレームを識別するタイミング制御器と、
第２セルで選択されたＡＣＫサブフレームに前記ＨＡＲＱ ＡＣＫ／ＮＡＣＫを送信する送信部と、
を含むことを特徴とする、端末。
【請求項６】
前記タイミング制御器は、
前記受信サブフレームが前記第２セルのダウンリンクサブフレームであるかを識別し、前記受信サブフレームが前記第２セルのダウンリンクサブフレームであれば、前記第２セルに対して予め定義されたタイミング関係（timing relationship）によって前記受信サブフレームに対応するサブフレームを前記ＡＣＫサブフレームとして識別することを特徴とする、請求項５に記載の端末。
【請求項７】
前記タイミング制御器は、
前記受信サブフレームが前記第２セルのダウンリンクサブフレームでなければ、タイミング関係によって前記受信サブフレームの以後、最初に到来するダウンリンクサブフレームに対応するサブフレームを前記ＡＣＫサブフレームとして識別することを特徴とする、請求項５に記載の端末。
【請求項８】
前記第１セルはセカンダリー（secondary）セルであり、前記第２セルはプライマリー（primary）セルであることを特徴とする、請求項６に記載の端末。
【請求項９】
基地局のＨＡＲＱ（Hybrid Automatic Repeat reQuest）ＡＣＫ／ＮＡＣＫ（Acknowledgement／Negative Acknowledgement）受信方法であって、
第１セルで送信サブフレームにＰＤＳＣＨ（Physical Downlink Shared Channel；物理ダウンリンク共通チャンネル）を送信する送信ステップと、
前記送信されたＰＤＳＣＨに対応するＨＡＲＱ ＡＣＫ／ＮＡＣＫ送信のためのＡＣＫサブフレームを識別する識別ステップと、
第２セルで選択されたＡＣＫサブフレームに前記ＨＡＲＱ ＡＣＫ／ＮＡＣＫを受信する受信ステップと、
を含むことを特徴とする、受信方法。
【請求項１０】
前記識別ステップは、
前記送信サブフレームが前記第２セルのダウンリンクサブフレームであるかを識別するステップと、
前記送信サブフレームが前記第２セルのダウンリンクサブフレームであれば、前記第２セルに対して予め定義されたタイミング関係（timing relationship）によって前記送信サブフレームに対応するサブフレームを前記ＡＣＫサブフレームとして識別するステップと、
を含むことを特徴とする、請求項９に記載の受信方法。
【請求項１１】
前記識別ステップは、
前記送信サブフレームが前記第２セルのダウンリンクサブフレームでなければ、前記タイミング関係によって前記送信サブフレームの以後、最初に到来するダウンリンクサブフレームに対応するサブフレームを前記ＡＣＫサブフレームとして識別するステップをさらに含むことを特徴とする、請求項１０に記載の受信方法。
【請求項１２】
前記第１セルはセカンダリー（secondary）セルであり、前記第２セルはプライマリー（primary）セルであることを特徴とする、請求項１０に記載の受信方法。
【請求項１３】
ＨＡＲＱ（Hybrid Automatic Repeat reQuest）ＡＣＫ／ＮＡＣＫ（Acknowledgement／Negative Acknowledgement）を受信する基地局であって、
第１セルで送信サブフレームにＰＤＳＣＨ（Physical Downlink Shared Channel；物理ダウンリンク共通チャンネル）を送信する送信部と、
前記送信されたＰＤＳＣＨに対応するＨＡＲＱ ＡＣＫ／ＮＡＣＫ送信のためのＡＣＫサブフレームを識別するタイミング制御器と、
第２セルで選択されたＡＣＫサブフレームに前記ＨＡＲＱ ＡＣＫ／ＮＡＣＫを受信する受信部と、
を含むことを特徴とする、基地局。
【請求項１４】
前記タイミング制御器は、
前記送信サブフレームが前記第２セルのダウンリンクサブフレームであるかを識別し、前記送信サブフレームが前記第２セルのダウンリンクサブフレームであれば、前記第２セルに対して予め定義されたタイミング関係（timing relationship）によって前記送信サブフレームに対応するサブフレームを前記ＡＣＫサブフレームとして識別することを特徴とする、請求項１３に記載の基地局。
【請求項１５】
前記タイミング制御器は、
前記送信サブフレームが前記第２セルのダウンリンクサブフレームでなければ、前記タイミング関係によって前記送信サブフレームの以後、最初に到来するダウンリンクサブフレームに対応するサブフレームを前記ＡＣＫサブフレームとして識別することを特徴とする、請求項１４に記載の基地局。
【請求項１６】
前記第１セルはセカンダリー（secondary）セルであり、前記第２セルはプライマリー（primary）セルであることを特徴とする、請求項１４に記載の基地局。
【発明の詳細な説明】
【技術分野】
【０００１】
本発明は移動通信システムに関し、特に搬送波結合（carrier aggregation）をサポートするＴＤＤ（Time Division Duplex）通信システムにおけるセル別に互いに異なるＴＤＤ設定（configuration）を有する時、物理チャンネルの送受信タイミングを定義する方法に関する。
【背景技術】
【０００２】
最近、移動通信システムでは無線チャンネルの高速データ転送方式により直交周波数分割多重接続（Orthogonal Frequency Division Multiple Access；以下、ＯＦＤＭＡという）方式、またはこれと類似な方式により単搬送波周波数分割多重接続（Single Carrier-Frequency Division Multiple Access；以下、ＳＣ−ＦＤＭＡという）方式が活発に研究されている。多重接続方式は、通常、各ユーザ別にデータまたは制御情報を乗せて送る時間−周波数資源が互いに重ならないように、即ち直交性（Orthogonality）が成立するように、割当及び運用されることによって、各ユーザのデータまたは制御情報を区分することができる。
【０００３】
移動通信システムにおける高速の無線データサービスが提供されるために重要の１つは、拡張性帯域幅（scalable bandwidth）のサポートである。その一例として、ＬＴＥ（Long Term Evolution）システムは２０／１５／１０／５／３／１．４MHzなどの多様な帯域幅を有することが可能である。そして、LTE-Advanced（以下、ＬＴＥ−Ａと簡単に称する）システムは、ＬＴＥキャリアの結合（carrier aggregation；以下、ＣＡという）を通じて最大１００MHz帯域幅に達する広帯域のサービスを提供することができる。サービス事業者は多数個の帯域幅のうちから１つの帯域幅を選択してサービスを提供することができる。そして、端末機も最大２０MHz帯域幅がサポートできるものから最小１．４MHz帯域幅のみをサポートするものなど、さまざまな種類が存在することができる。
【０００４】
ＬＴＥ−Ａシステムは高速のデータ転送のために、ＬＴＥシステムより広帯域を必要とする。それと同時にＬＴＥ−ＡシステムにおけるＬＴＥ端末に対する互換性（backward compatibility）も重要である。したがって、ＬＴＥ端末もＬＴＥ−Ａシステムに接続してサービスを受けることができなければならない。
【０００５】
このために、ＬＴＥ−ＡシステムはＬＴＥ端末が送信または受信することができる帯域幅のサブバンド（sub-band）または構成搬送波（component carrier；ＣＣ、またはセルという）に全体システム帯域を分ける。そして、ＬＴＥ−Ａシステムは所定の構成搬送波を結合した後、各構成搬送波別にデータを生成及び転送する。これによって、ＬＴＥ−Aシステムは各構成搬送波別に既存ＬＴＥシステムの送受信プロセスを活用してＬＴＥ−Ａシステムの高速データ転送をＬＴＥ端末にサポートすることができる。
【０００６】
各構成搬送波またはセルは、端末の観点からその用途や重要性に区分する時、プライマリー（primary）セルとセカンダリー（secondary）セルに分けられる。プライマリーセルは端末の観点から１つであり、セカンダリーセルはプライマリーセルを除外した残りのセルである。現在ＬＴＥ−Ａシステムではアップリンク制御チャンネルが単にプライマリーセルのみで転送できるようにしており、アップリンクデータチャンネルはプライマリーセルとセカンダリーセルで転送できるようにしている。
【０００７】
一般に、各構成搬送波別に転送されるデータに対するスケジューリング情報は、ダウンリンク制御情報（Downlink Control Information；ＤＣＩ）に含まれて端末に転送される。ＤＣＩは種々のフォーマットを定義することができる。即ち、ＤＣＩはアップリンクデータに対するスケジューリング情報か、ダウンリンクデータに対するスケジューリング情報か否か、コンパックＤＣＩか否か、多重アンテナを使用した空間多重化（spatial multiplexing）を適用するか否か、電力制御用ＤＣＩか否かなどによって定まったＤＣＩフォーマットが適用されて運用される。例えば、ＭＩＭＯ（Multiple Input Multiple Output；多重入出力アンテナ）を適用しないダウンリンクデータに対する制御情報であるＤＣＩフォーマット１は次のような制御情報から構成される。
【０００８】
−Resource allocation type０／１フラグ：リソース割当方式がタイプ０かタイプ１かを端末に通知することができる。ここで、タイプ０はビットマップ方式を適用してＲＢＧ（resource block group）単位でリソースを割り当てる。ＬＴＥ及びＬＴＥ−Ａシステムにおいて、スケジューリングの基本単位は時間及び周波数領域リソースとして表現されるＲＢ（resource block）であり、ＲＢＧは複数個のＲＢから構成されてタイプ０方式でのスケジューリング基本単位となる。タイプ１はＲＢＧの内で特定ＲＢを割り当てるようにする。
【０００９】
−Resource block assignment：データ転送に割り当てられたＲＢを端末に通知することができる。この際、システム帯域幅及びリソース割当方式によって表現するリソースが決まる。
−Modulation and coding scheme：データ転送に使われた変調方式とコーディングレートを端末に通知する。
−HARQ process number：ＨＡＲＱのプロセス番号を端末に通知する。
−New data indicator：ＨＡＲＱ初期転送か再転送かを端末に通知する。
−Redundancy version：ＨＡＲＱのリダンダンシーバージョン（redundancy version）を端末に通知する。
−TPC command for PUCCH：アップリンク制御チャンネルであるＰＵＣＣＨ（Physical uplink control channel）に対する電力制御命令を端末に通知する。
【００１０】
このような情報を端末に通知することができるＤＣＩはチャンネルコーディング及び変調過程を経てダウンリンク物理制御チャンネルであるＰＤＣＣＨ（Physical downlink control channel）を通じて端末に転送される。
【００１１】
図１は従来技術に従う物理制御チャンネルを割り当てる方法を示す図である。言い換えると、図１は２つの搬送波（ＣＣ＃１、ＣＣ＃２）が結合されたＬＴＥ−Ａシステムにおいて、基地局が端末にダウンリンクデータをスケジューリングする一例を示す。
【００１２】
図１を参照すると、基地局は構成搬送波＃１（Component carrier＃１；ＣＣ＃１）１０９で転送されるＤＣＩ １０１を既存ＬＴＥで定義されたフォーマットを適用した後、チャンネルコーディング及びインターリービング（１０３）し、制御情報チャンネルであるＰＤＣＣＨ １０５を生成する。次に、基地局はＰＤＣＣＨ １０５を介してＣＣ＃１ １０９で端末に割り当てられたデータチャンネルであるＰＤＳＣＨ（Physical downlink shared channel）１０７に対するスケジューリング情報を端末に知らせる。
【００１３】
基地局は構成搬送波＃２（ＣＣ＃２）１１９で転送されるＤＣＩ １１１を既存ＬＴＥで定義されたフォーマットを適用した後、チャンネルコーディング及びインターリービング（１１３）し、制御情報チャンネルであるＰＤＣＣＨ １１５を生成する。次に、基地局はＰＤＣＣＨ １１５を介してＣＣ＃２ １１９で端末に割り当てられたデータチャンネルであるＰＤＳＣＨ １１７に対するスケジューリング情報を端末に知らせる。
【発明の概要】
【発明が解決しようとする課題】
【００１４】
ＬＴＥ ＴＤＤシステムのＰＤＳＣＨとＵＬ ＡＣＫ／ＮＡＣＫが転送される物理チャンネルとの間のタイミング関係を搬送波結合をサポートするＬＴＥ−Ａシステムに適用する場合、既存タイミング関係の以外に追加的な動作を定義する必要がある。また、ＬＴＥ−Ａシステムにおいて、ＵＬ制御チャンネルの場合、プライマリーセルの上のみで転送されることと決まったので、各セル別にＴＤＤ ＵＬ−ＤＬ設定が異なれば、クロスキャリアスケジューリング（cross carrier scheduling）で各セルのＰＤＣＣＨとクロスキャリアスケジューリングされるＰＤＳＣＨ転送とプライマリーセルのアップリンクＨＡＲＱ ＡＣＫ／ＮＡＣＫなどのタイミング関係を定義する必要がある。
【００１５】
したがって、本発明で移動通信システム及びその移動通信システムにおけるチャンネルを送受信する方法を提案する。
【課題を解決するための手段】
【００１６】
本発明は前述した問題点を解決するために提案されたものであって、本発明の一実施形態に従う端末のＨＡＲＱ（Hybrid Automatic Repeat reQuest）ＡＣＫ／ＮＡＣＫ（Acknowledgement／Negative Acknowledgement）送信方法は、第１セルで受信サブフレームにＰＤＳＣＨ（Physical Downlink Shared Channel；物理ダウンリンク共通チャンネル）を受信する受信ステップ、上記受信されたＰＤＳＣＨに対応するＨＡＲＱ ＡＣＫ／ＮＡＣＫ送信のためのＡＣＫサブフレームを識別する識別ステップ、及び第２セルで上記選択されたＡＣＫサブフレームに上記ＨＡＲＱ ＡＣＫ／ＮＡＣＫを送信する送信ステップを含むことができる。
【００１７】
本発明は、前述した問題点を解決するために提案されたものであって、本発明の一実施形態に従うＨＡＲＱ（Hybrid Automatic Repeat reQuest）ＡＣＫ／ＮＡＣＫ（Acknowledgement／Negative Acknowledgement）を送信する端末は、第１セルで受信サブフレームにＰＤＳＣＨ（Physical Downlink Shared Channel；物理ダウンリンク共通チャンネル）を受信する受信部、上記受信されたＰＤＳＣＨに対応するＨＡＲＱ ＡＣＫ／ＮＡＣＫ送信のためのＡＣＫサブフレームを識別するタイミング制御器、及び第２セルで上記選択されたＡＣＫサブフレームに上記ＨＡＲＱ ＡＣＫ／ＮＡＣＫを送信する送信部を含むことができる。
【００１８】
本発明は前述した問題点を解決するために提案されたものであって、本発明の一実施形態に従う基地局のＨＡＲＱ（Hybrid Automatic Repeat reQuest）ＡＣＫ／ＮＡＣＫ（Acknowledgement／Negative Acknowledgement）受信方法は、第１セルで送信サブフレームにＰＤＳＣＨ（Physical Downlink Shared Channel；物理ダウンリンク共通チャンネル）を送信する送信ステップ、上記送信されたＰＤＳＣＨに対応するＨＡＲＱ ＡＣＫ／ＮＡＣＫ送信のためのＡＣＫサブフレームを識別する識別ステップ、及び第２セルで上記選択されたＡＣＫサブフレームに上記ＨＡＲＱ ＡＣＫ／ＮＡＣＫを受信する受信ステップを含むことができる。
【００１９】
本発明は前述した問題点を解決するために提案されたものであって、本発明の一実施形態に従うＨＡＲＱ（Hybrid Automatic Repeat reQuest）ＡＣＫ／ＮＡＣＫ（Acknowledgement／Negative Acknowledgement）を受信する基地局は、第１セルで送信サブフレームにＰＤＳＣＨ（Physical Downlink Shared Channel；物理ダウンリンク共通チャンネル）を送信する送信部、上記送信されたＰＤＳＣＨに対応するＨＡＲＱ ＡＣＫ／ＮＡＣＫ送信のためのＡＣＫサブフレームを識別するタイミング制御器、及び第２セルで上記選択されたＡＣＫサブフレームに上記ＨＡＲＱ ＡＣＫ／ＮＡＣＫを受信する受信部を含むことができる。
【００２０】
本発明の一実施形態によれば、搬送波結合（carrier aggregation）を通じて広帯域を構成するＴＤＤ無線通信システムにおけるデータまたは制御情報転送用物理チャンネルの間の具体的なタイミングを定義してデータまたは制御チャンネルの送受信誤りまたは転送遅延を防止することができる。
【図面の簡単な説明】
【００２１】
【図１】従来技術に従う物理制御チャンネルを割り当てる方法を示す図である。
【図２】本発明に従うクロスキャリアスケジューリング方式を示す図である。
【図３】本発明に従うアップリンクＨＡＲＱ ＡＣＫ／ＮＡＣＫを転送する方法を示す図である。
【図４】本発明の第１実施形態に従ってチャンネルを送受信する方法を示す図である。
【図５】本発明の第１実施形態に従うクロスキャリアスケジューリングを適用する場合の基地局手続きを示す図である。
【図６】本発明の第１実施形態に従うクロスキャリアスケジューリングを適用する場合の端末の手続きを示す図である。
【図７】本発明の第２実施形態に従うチャンネル送受信方法を示す図である。
【図８】本発明の第３実施形態に従うチャンネル送受信方法を示す図である。
【図９】本発明の第４実施形態に従うチャンネル送受信方法を示す図である。
【図１０】本発明の第２乃至第４実施形態に従うクロスキャリアスケジューリングを適用する場合の基地局手続きを示す図である。
【図１１】本発明の第２乃至第４実施形態に従うクロスキャリアスケジューリングを適用する場合の端末手続きを示す図である。
【図１２】本発明の第５実施形態に従うチャンネル送受信方法を示す図である。
【図１３】本発明の第５実施形態に従ってクロスキャリアスケジューリングを適用する場合の基地局手続きを示す図である。
【図１４】本発明の第５実施形態に従ってクロスキャリアスケジューリングを適用する場合の端末の手続きを示す図である。
【図１５】本発明の実施形態に従う基地局装置を示す図である。
【図１６】本発明の実施形態に従う端末装置を示す図である。
【発明を実施するための形態】
【００２２】
以下、添付した図面を参照して本発明の動作原理を詳細に説明する。以下で本発明を説明するに当たって関連した公知機能または構成に対する具体的な説明が本発明の要旨を曖昧にすることができると判断される場合にはその詳細な説明を省略する。そして、後述する用語は本発明での機能を考慮して定義された用語であって、これはユーザ、運用者の意図または慣例などによって変わることができる。したがって、その定義は本明細書の全般に亘る内容に基づいて定義されるべきである。
【００２３】
また、本発明の実施形態を具体的に説明するに当たって、搬送波結合（carrier aggregation）をサポートするＬＴＥ−Ａシステムを主な対象にするが、本発明の主要な要旨は類似の技術的背景及びチャンネル形態を有するその他の通信システムにも本発明の範囲から大きく外れない範囲で若干の変形により適用可能であり、これは本発明の技術分野で熟練した技術的知識を有する者の判断により可能である。例えば、搬送波結合をサポートするマルチキャリア（multi-carrier）ＨＳＰＡにも本発明の主要要旨を適用可能である。
【００２４】
本発明の主要な要旨は搬送波結合（carrier aggregation）を通じて広帯域を構成するＴＤＤ無線通信システムにおいて、結合された搬送波のＴＤＤ ＵＬ−ＤＬ設定がセル別に異なり、クロスキャリアスケジューリングが適用される場合、各セルのＰＤＣＣＨとクロスキャリアスケジューリングされるＰＤＳＣＨ転送及びプライマリーセルでのアップリンクＨＡＲＱ ＡＣＫ／ＮＡＣＫなどのタイミング関係を定義することにある。
【００２５】
搬送波結合をサポートするＬＴＥ−Ａシステムにおいて、データ転送をサポートするためのダウンリンク制御情報（ＤＣＩ）が転送される構成搬送波とＤＣＩによりスケジューリングされたデータが転送される構成搬送波とが互いに相異する場合、これをクロスキャリアスケジューリングという。クロスキャリアスケジューリングはダウンリンクデータ転送及びアップリンクデータ転送に各々適用可能である。
【００２６】
搬送波結合をサポートするＬＴＥ−Ａシステムにおいて、基本的にデータ転送及びデータ転送をサポートするためのダウンリンク制御情報（ＤＣＩ）の転送は、該当構成搬送波別に各々遂行される。しかしながら、端末が信頼度の高い受信性能を得るために、ＤＣＩがデータが転送される構成搬送波と異なる構成搬送波に転送できる。これをクロスキャリアスケジューリングと称するが、図２を参照して説明すれば、次の通りである。
【００２７】
図２は、本発明に従うクロスキャリアスケジューリング方式を示す図である。より詳しくは、図２は構成搬送波＃１（Component carrier＃１；ＣＣ＃１）２０９と構成搬送波＃２（Component carrier＃２；ＤＬ ＣＣ＃２）２１９とで搬送波結合されたＬＴＥ−Ａ端末に対するスケジューリング動作を例示する。
【００２８】
図２の例は、ＣＣ＃２ ２１９がＣＣ＃１ ２０９よりダウンリンク干渉（interference）が相対的に過度に大きくて、基地局がＣＣ＃２ ２１９のデータ転送に対するＤＣＩをＣＣ＃２ ２１９を通じて端末に転送する時、所定の要求されるＤＣＩ受信性能を満足し難い場合を仮定する。この場合、基地局はＤＣＩをＣＣ＃１ ２０９を通じて転送することができ、端末はＣＣ＃２ ２１９で転送されるデータのスケジューリング情報を知らせるためのＤＣＩがＣＣ＃１ ２０９から降りるということを事前に知っていなければならない。
【００２９】
データの場合、ＨＡＲＱ再転送を通じて誤り復旧が可能であるので、基地局がＣＣ＃２ ２１９を通じてデータを端末に転送することに支障がない。しかしながら、基地局はＤＣＩがどの構成搬送波に対するスケジューリング情報を表しているかに対する搬送波指示子（carrier indicator；ＣＩ）をスケジューリングされたデータのリソース割当情報と転送形式などを表すＤＣＩに追加的に付け加えて転送する。例えば、ＣＩ=‘０００’はＣＣ＃１ ２０９に対するスケジューリング情報であることを表し、ＣＩ=‘００１’はＣＣ＃２ ２１９に対するスケジューリング情報であることを表す。
【００３０】
したがって、基地局はＣＣ＃１にスケジューリングされたデータ２０７のリソース割当情報と転送形式などを表すＤＣＩ ２０１と搬送波指示子２０２とを結合して拡張されたＤＣＩを構成する。そして、基地局はこれをチャンネルコーディング（２０３）した後、変調及びインターリービングを通じてＰＤＣＣＨを構成した後、ＣＣ＃１のＰＤＣＣＨ領域２０５にマッピングして転送する。次に、基地局はＣＣ＃２にスケジューリングされたデータ２１７のリソース割当情報と転送形式などを表すＤＣＩ ２１１と搬送波指示子２１２とを結合して拡張されたＤＣＩを構成する。そして、基地局はこれをチャンネルコーディング（２１３）した後、変調及びインターリービングを経てＰＤＣＣＨを構成した後、ＣＣ＃１のＰＤＣＣＨ領域２０５にマッピングして転送する。
【００３１】
ＴＤＤ（Time Division Duplex）通信システムは、ダウンリンク及びアップリンクに共通の周波数を使用するが、時間領域でアップリンク信号とダウンリンク信号の送受信を区分して運用する。そして、ＬＴＥ ＴＤＤでサブフレーム別にアップリンクまたはダウンリンク信号が区分されて転送される。この際、ＬＴＥで上記サブフレームの長さは１ｍｓであり、１０個のサブフレームが集まって１つのラジオフレーム（radio frame）に構成される。
【００３２】
アップリンク及びダウンリンクのトラフィック負荷（traffic load）によって、アップ／ダウンリンク用サブフレームが時間領域で均等に分割されて運用できる。または、ダウンリンクに一層多いサブフレームが割り当てられて運用されるか、アップリンクにより多いサブフレームが割り当てられて運用できる。
【００３３】
【表１】
2014509139.tif 000003
【００３４】
＜表１＞はＬＴＥに定義されたＴＤＤ ＵＬ−ＤＬ設定（TDD Uplink-Downlink configuration）を表す。＜表１＞で、‘Ｄ’はダウンリンク転送用に設定されたサブフレームを表し、‘Ｕ’はアップリンク転送用に設定されたサブフレームを表す。そして、‘Ｓ’はＤｗＰＴＳ（Dwonlink Pilot Time Slot）、ＧＰ（Guard Period）、ＵｐＰＴＳ（Uplink Pilot Time Slot）から構成されるスペシャルサブフレーム（Special subframe）を表す。
【００３５】
ＤｗＰＴＳで一般的なサブフレームと同様に、ダウンリンクに制御情報転送が可能であり、スペシャルサブフレームの設定状態によってＤｗＰＴＳの長さが十分に長い場合、ダウンリンクデータ転送も可能である。ＧＰはダウンリンクからアップリンクに転送状態の遷移を収容する区間であって、ネックワーク設定などによって長さが定まる。ＵｐＰＴＳはアップリンクチャンネル状態を推定することに必要な端末のＳＲＳ（Sounding Reference Signal）転送またはランダムアクセスのための端末のＲＡＣＨ（Random Access Channel）転送に使われる。
【００３６】
例えば、ＴＤＤ ＵＬ−ＤＬ設定＃６の場合、サブフレーム＃０、＃５、＃９にダウンリンクデータ及び制御情報転送が可能であり、サブフレーム＃２、＃３、＃４、＃７、＃８にアップリンクデータ及び制御情報転送が可能である。そして、スペシャルサブフレームに該当するサブフレーム＃１、＃６ではダウンリンク制御情報またはダウンリンクデータ転送が可能であり、アップリンクにはＳＲＳまたはＲＡＣＨ転送が可能である。
【００３７】
ＴＤＤシステムでは、ダウンリンクまたはアップリンク信号転送が特定時間区間の間のみで許容されるので、データスケジューリングのための制御チャンネル、スケジューリングされるデータチャンネル、そしてデータチャンネルに対応するＨＡＲＱ ＡＣＫ／ＮＡＣＫチャンネルなど、相互関係にあるアップ／ダウンリンク物理チャンネルの間の具体的なタイミング関係を定義する必要がある。
【００３８】
まず、ＬＴＥ ＴＤＤシステムにおけるダウンリンクデータ転送用物理チャンネルであるＰＤＳＣＨ（Physical Downlink Shared Channel）と、これに対応するアップリンクＨＡＲＱ ＡＣＫ／ＮＡＣＫが転送される物理チャンネルであるＰＵＣＣＨ（Physical Uplink Control Channel）またはＰＵＳＣＨ（Physical Uplink Shared Channel）のアップ／ダウンリンクタイミング関係は、次の通りである。
【００３９】
端末は基地局からサブフレームｎ−ｋに転送されたＰＤＳＣＨを受信すれば、アップリンクサブフレームｎに上記ＰＤＳＣＨに対するアップリンクＨＡＲＱ ＡＣＫ／ＮＡＣＫ転送をする。この際、ｋは集合Ｋの構成元素であって、Ｋは＜表２＞に定義された通りである。
【００４０】
【表２】
2014509139.tif 000004
【００４１】
図３は、本発明に従うアップリンクＨＡＲＱ ＡＣＫ／ＮＡＣＫを転送する方法を示す図である。
【００４２】
図３を参照すると、ＴＤＤ ＵＬ−ＤＬ設定＃６の場合、ＰＤＳＣＨが各々のダウンリンクまたはスペシャルサブフレームに転送される時、これに対応するアップリンクＨＡＲＱ ＡＣＫ／ＮＡＣＫがどのサブフレームに転送されるかを＜表２＞の定義によって例示した図である。例えば、端末はラジオフレームｉのサブフレーム＃０で基地局が転送したＰＤＳＣＨ ３０１に対応するアップリンクＨＡＲＱ ＡＣＫ／ＮＡＣＫをラジオフレームｉのサブフレーム＃７を通じて転送する（３０３）。この際、ＰＤＳＣＨ ３０１に対するスケジューリング情報を含むダウンリンク制御情報（ＤＣＩ）は、ＰＤＳＣＨ３０１が転送されるサブフレームと同一なサブフレームにＰＤＣＣＨを介して転送される。更に他の例として、端末はラジオフレームｉのサブフレーム＃９を通じて基地局が転送したＰＤＳＣＨ３０５に対応するアップリンクＨＡＲＱ ＡＣＫ／ＮＡＣＫをラジオフレームｉ＋１のサブフレーム＃４を通じて転送する（３０７）。同様に、ＰＤＳＣＨ３０５に対するスケジューリング情報を含むダウンリンク制御情報（ＤＣＩ）は、ＰＤＳＣＨ３０５が転送されるサブフレームと同一なサブフレームのＰＤＣＣＨを介して転送される。
【００４３】
ＬＴＥシステムにおけるダウンリンクＨＡＲＱは、データ再転送時点が固定されない非同期（asynchronous）ＨＡＲＱ方式を採択している。即ち、基地局が転送したＨＡＲＱ初期転送データに対して端末からＨＡＲＱ ＮＡＣＫのフィードバックを受けた場合、基地局は次回のＨＡＲＱ再転送データの転送時点をスケジューリング動作により自由に決定する。端末はＨＡＲＱ動作のために受信データをデコーディングして、誤りと判断されたＨＡＲＱデータに対してバッファリングした後、次回のＨＡＲＱ再転送データとコンバイニングを遂行する。この際、端末の受信バッファ容量を一定限度以内に維持するために、各々のＴＤＤ ＵＬ−ＤＬ設定別に最大ダウンリンクＨＡＲＱプロセス個数を＜表３＞のように定義している。１つのＨＡＲＱプロセスは時間領域で１つのサブフレームにマッピングされる。
【００４４】
【表３】
2014509139.tif 000005
【００４５】
図３の例を参照すると、端末はラジオフレームｉのサブフレーム＃０に基地局が転送したＰＤＳＣＨ ３０１をデコーディングする。デコーディング結果、誤りと判断されれば、端末はＨＡＲＱ ＮＡＣＫをラジオフレームｉのサブフレーム＃７を通じて転送（３０３）する。ＨＡＲＱ ＮＡＣＫが受信されれば、基地局はＰＤＳＣＨ ３０１に対する再転送データをＰＤＳＣＨ３０９で構成してＰＤＣＣＨと共に転送する。図３の例で、＜表３＞の定義によってＴＤＤ ＵＬ−ＤＬ設定＃６の最大ダウンリンクＨＡＲＱプロセス個数が６個であることを反映して、再転送データがラジオフレームｉ＋１のサブフレーム＃１に転送されることを例示する。即ち、初期転送ＰＤＳＣＨ３０１と再転送ＰＤＳＣＨ３０９との間に総６個のダウンリンクＨＡＲＱプロセス３１１、３１２、３１３、３１４、３１５、３１６が存在する。
【００４６】
本発明では説明の便宜のために、クロスキャリアスケジューリング動作時、ダウンリンク制御情報（ＤＣＩ）が転送される構成搬送波を‘第１構成搬送波または第１セル’といい、上記ダウンリンク制御情報（ＤＣＩ）によりスケジューリングされたデータが転送される構成搬送波を‘第２構成搬送波または第２セル’ということにする。
【００４７】
搬送波結合をサポートするＬＴＥ−Ａシステムにおいて、結合された搬送波が周波数帯域で互いに隣接しない場合、システム運用シナリオによってＴＤＤ ＵＬ−ＤＬ設定がセル別に互いに異なるように設定できる。例えば、第１構成搬送波または第１セルはアップ／ダウンリンク用サブフレームを時間領域で均等に分割して運用し、第２構成搬送波または第２セルはダウンリンク用サブフレームをより多く割り当ててダウンリンク容量を拡張して運用することができる。更に他の例として、既存３Ｇ ＴＤＤシステムであるＴＤ−ＳＣＤＭＡとの互換性を考慮して、第１構成搬送波または第１セルはＴＤ−ＳＣＤＭＡシステムと互換性が維持されたＴＤＤ ＵＬ−ＤＬ設定を適用する。これによって、ＴＤ−ＳＣＤＭＡとＬＴＥ ＴＤＤシステムとの間の相互干渉問題を防止することができる。そして、第２構成搬送波または第２セルは別途の制約事項無しでトラフィック負荷（traffic load）によってＴＤＤ ＵＬ−ＤＬ設定されて運用できる。
【００４８】
ここで、プライマリーセルは第１構成搬送波または第１セルであり、セカンダリーセルは第１構成搬送波または第１セルになることもでき、第２構成搬送波または第２セルになることができる。即ち、プライマリーセルと特定セカンダリーセルはクロスキャリアスケジューリングするＰＤＣＣＨを転送することができ、特定セカンダリーセルを除外した残りのセカンダリーセルは上記プライマリーセルまたは特定セカンダリーセルのＰＤＣＣＨからスケジューリングされたＰＤＳＣＨを転送することができる。
【００４９】
以下、本発明は先にダウンリンクデータ転送と関連した各セルでのＰＤＣＣＨとクロスキャリアスケジューリングされるＰＤＳＣＨ転送とプライマリーセルでのアップリンクＨＡＲＱ ＡＣＫ／ＮＡＣＫなどのタイミング関係を定義する具体的な方法を説明する。言い換えると、本発明で端末はプライマリーセルでのアップリンクＨＡＲＱ ＡＣＫ／ＮＡＣＫを転送するためのサブフレームを選択するためにクロスキャリアスケジューリングによって第１セルのサブフレームに物理ダウンリンク制御チャンネルが受信されれば、上記物理ダウンリンク制御チャンネルの搬送波指示子が指示する第２セルのサブフレームを通じて物理ダウンリンク共通チャンネルを受信し、上記受信された物理ダウンリンク共通チャンネルによってＨＡＲＱ ＡＣＫ／ＮＡＣＫ転送のためのサブフレームを選択して、上記選択されたサブフレームを通じて上記ＨＡＲＱ ＡＣＫ／ＮＡＣＫ転送することができる。また、本発明で基地局はクロスキャリアスケジューリングによって物理ダウンリンク制御チャンネルを第１セルで、物理ダウンリンク共通チャンネルを第２セルで端末に転送し、上記物理ダウンリンク共通チャンネルに対応するＨＡＲＱ ＡＣＫ／ＮＡＣＫを受信するサブフレームを確認して、上記確認されたサブフレームを通じて上記端末から上記ＨＡＲＱ ＡＣＫ／ＮＡＣＫを受信することができる。本発明は、搬送波またはセル結合を通じて広帯域を構成する構成搬送波の個数に対して別途の制限無しで適用可能である。
【００５０】
（第１実施形態）
図４は、本発明の実施形態に従って２つの構成搬送波が結合された移動通信システムにおける割り当てられた物理制御チャンネルを示す図である。
【００５１】
図４を参照すると、２つの構成搬送波が結合されたＴＤＤシステムにおける構成搬送波ＣＣ１ ４０１はプライマリーセルである第１セルであり、ＴＤＤ ＵＬ−ＤＬ設定＃３であり、構成搬送波ＣＣ２ ４０２はセカンダリーセルである第２セルであり、ＴＤＤ ＵＬ−ＤＬ設定＃４として各々動作する例を示す。ここで、構成搬送波ＣＣ２の１つとしてセカンダリーセルを構成した場合を仮定して説明しているが、これに限定されるものではない。即ち、多数の構成搬送波がセカンダリーセルとして設定されている場合にも第１実施形態が適用可能である。また、プライマリーセルでないセカンダリーセルが更に他のセカンダリーセルをクロスキャリアスケジューリングする場合も適用可能である。また、同一なＴＤＤ ＵＬ−ＤＬ設定を有するセル同士グルーピングし、グルーピングされるセルの中のみでクロスキャリアスケジューリングをする場合にも適用可能である。また、各セルがＰＤＳＣＨ転送に対するスケジューリングを各セル自体で遂行するセルフ−スケジューリング（self-scheduling）する場合も適用可能である。
【００５２】
図４で、プライマリーセルである構成搬送波ＣＣ１の内で物理ダウンリンク共通チャンネル（ＰＤＳＣＨ；Physical Downlink Shared Channel）をスケジューリングする動作、即ちクロスキャリアスケジューリングを遂行しない動作は、既存ＬＴＥ ＴＤＤシステムの動作と同一である。しかしながら、セカンダリーセルである構成搬送波ＣＣ２のＰＤＳＣＨをプライマリーセルである構成搬送波ＣＣ１の物理ダウンリンク制御チャンネル（ＰＤＣＣＨ；Physical Downlink Control Channel）を通じてスケジューリングする動作、即ちクロスキャリアスケジューリングを遂行する動作は、既存ＬＴＥシステムでは定義されていない動作であって、新たな定義が必要である。特に、セカンダリーセルでのＰＤＳＣＨに対するＨＡＲＱ（Hybrid Automatic Retransmit Request）ＡＣＫ／ＮＡＣＫをプライマリーセルで転送するためのタイミング関係が新しく定義されなければならない。
【００５３】
まず、クロスキャリアスケジューリング情報を転送するＰＤＣＣＨと、これに従うＰＤＳＣＨのタイミング関係を簡単に説明する。図４の例で、基地局はプライマリーセルＣＣ１でダウンリンクサブフレームに設定されたラジオフレームｉのサブフレーム＃７でセカンダリーセルＣＣ２のＰＤＳＣＨをスケジューリングするＰＤＣＣＨ４０２を転送しようとする。この際、同一な時点でセカンダリーセルＣＣ２のサブフレームがダウンリンクサブフレームに設定されているので、基地局は該当サブフレームでダウンリンク転送を遂行することができる。
【００５４】
仮に、同一な時点でセカンダリーセルＣＣ２のサブフレームがアップリンクサブフレームに設定されれば、基地局は該当サブフレームでダウンリンク転送を遂行することができる。したがって、本発明で基地局がプライマリーセルであるＣＣ１で転送されたＰＤＣＣＨを同一な時点を基準に最も近い時点に到来するセカンダリーセルのダウンリンクサブフレームのＰＤＳＣＨにクロスキャリアスケジューリングすることを提案する。
【００５５】
このような場合、端末はセカンダリーセルＣＣ２でラジオフレームｉのサブフレーム＃７でＰＤＳＣＨ４０５を受信する。そして、端末はプライマリーセルでＰＤＣＣＨが転送された４サブフレームの以後、最も近い時点に到来するアップリンクサブフレームでＨＡＲＱ ＡＣＫ／ＮＡＣＫを転送する。本実施形態において、４サブフレームの以後、サブフレームはサブフレーム＃０であるが、サブフレーム＃０はダウンリンクサブフレームであるので、最も近い時点に到来するアップリンクサブフレームはサブフレーム＃２になることができる。
【００５６】
即ち、プライマリーセルでＰＤＣＣＨ４０２が転送された時点の以後、４サブフレームで最も近い時点に到来するアップリンクサブフレームであるサブフレーム＃２でＨＡＲＱ ＡＣＫ／ＮＡＣＫ４０３を基地局に転送する。基地局は端末から受信されたアップリンクＨＡＲＱ ＡＣＫ／ＮＡＣＫ４０３がＮＡＣＫと判断されれば、ＰＤＳＣＨ４０２を再転送する。この際、基地局はまたクロスキャリアスケジューリングを遂行するか否かを判断する。
【００５７】
第１実施形態で端末の動作を要約すると、端末はプライマリーセルのサブフレームで第１セルのＰＤＣＣＨが転送される時点のサブフレームとセカンダリーセルでＰＤＳＣＨ転送される時点のサブフレームがダウンリンクサブフレームであれば、予め設定されたサブフレーム個数のサブフレームの以後、プライマリーセルのアップリンクサブフレームでＨＡＲＱ ＡＣＫ／ＮＡＣＫを転送する。言い換えると、端末はＰＤＣＣＨが転送された時点のサブフレームと同一な時点のサブフレームを通じてＰＤＳＣＨが受信されれば、プライマリーセルで４サブフレームの以後、最も初めに到来するアップリンクサブフレームでＨＡＲＱ ＡＣＫ／ＮＡＣＫを転送する。
【００５８】
図５は、本発明の第１実施形態に従うクロスキャリアスケジューリングを適用する場合の基地局手続きを示す図である。
【００５９】
図５を参照すると、基地局は端末にデータを転送するためにステップ５１０で、ＰＤＣＣＨを生成して‘第１セル’に転送し、ＰＤＳＣＨを生成して‘第２セル’に転送する。次に、基地局はステップ５２０で、上記‘第１セル’のＰＤＣＣＨが転送されるサブフレームのようなプライマリーセルのサブフレームを基準に４サブフレームの以後、最も速く表れるプライマリーセルのアップリンクサブフレームで端末から転送されたアップリンクＨＡＲＱ ＡＣＫ／ＮＡＣＫを受信する。
【００６０】
基地局はステップ５３０で、ステップ５２０を通じて受信されたＨＡＲＱ ＡＣＫ／ＮＡＣＫがＮＡＣＫか否かを判断する。仮に、ＨＡＲＱ ＡＣＫ／ＮＡＣＫがＮＡＣＫであれば、基地局はＰＤＳＣＨを再転送する。一方、ＨＡＲＱ ＡＣＫ／ＮＡＣＫがＡＣＫであれば、基地局は新たなＰＤＳＣＨを転送する。次に、基地局はまたステップ５１０に移動してＰＤＳＣＨ再転送または新たなＰＤＳＣＨをスケジューリングするためのＰＤＣＣＨを転送するかを判断し、以後、後続手続きは前述した手続きに従う。
【００６１】
図６は、本発明の第１実施形態に従うクロスキャリアスケジューリングを適用する場合の端末の手続きを示す図である。
【００６２】
図６を参照すると、端末はステップ６１０で、基地局からＰＤＣＣＨを受信する。この際、端末は基地局がどの時点でどの構成搬送波でＰＤＣＣＨを転送するかが予め分からない。したがって、端末は毎サブフレーム毎にＰＤＣＣＨを復号するように設定された構成搬送波でＰＤＣＣＨに対する検出を試みる。端末は受信したＰＤＣＣＨに対し、自分に割り当てられた固有のＵＥ−ＩＤでＣＲＣチェックを遂行する。
【００６３】
仮に、受信されたＰＤＣＣＨが自分のスケジューリング情報であれば、端末はステップ６２０で、ＰＤＣＣＨに含まれている搬送波指示子（carrier indicator；ＣＩ）が指示するセルでＰＤＳＣＨを受信する。次に、端末はステップ６３０で、ＰＤＣＣＨが受信された‘第１セル’のサブフレームのようなプライマリーセルのサブフレームを基準に４サブフレームの以後、最も速く表れるプライマリーセルのアップリンクサブフレームを通じてアップリンクＨＡＲＱ ＡＣＫ／ＮＡＣＫを転送する。端末は、ステップ６１０に移動してステップ６３０で転送したＨＡＲＱ ＡＣＫ／ＮＡＣＫがＮＡＣＫであれば、ＰＤＳＣＨに対する再転送の受信を準備する。一方、転送したＨＡＲＱ ＡＣＫ／ＮＡＣＫがＡＣＫであれば、端末は新たなＰＤＳＣＨの受信を準備する。そして、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００６４】
第１実施形態において、端末はプライマリーセルのサブフレームで第１セルのＰＤＣＣＨが転送される時点のサブフレームと、セカンダリーセルでＰＤＳＣＨ転送される時点のサブフレームとが同一にダウンリンクサブフレームの場合、予め設定されたサブフレーム個数のサブフレームの以後、プライマリーセルのアップリンクサブフレームでＨＡＲＱ ＡＣＫ／ＮＡＣＫを転送すると説明したが、これに限定されるものではない。即ち、第１セルのＰＤＣＣＨが転送される時点のサブフレームとセカンダリーセルでＰＤＳＣＨ転送される時点のサブフレームとが同一でない場合、端末はＰＤＳＣＨ転送される時点のサブフレームを基準に予め設定されたサブフレーム個数の以後、最も速いプライマリーセルのアップリンクサブフレームでＨＡＲＱ ＡＣＫ／ＮＡＣＫを転送することができる。
【００６５】
第１実施形態でクロスキャリアスケジューリング、即ち第１セルでＰＤＣＣＨが転送され、第２セルでＰＤＳＣＨが転送される例に対して説明したが、これに限定されるものではない。第１実施形態において、セルフ−スケジューリングが遂行される場合、即ちＣＩＦが設定されず、ＰＤＣＣＨ転送とこれに該当するＰＤＳＣＨ転送が１つのセルで各々遂行されれば、端末は特定セカンダリーセルでＰＤＳＣＨが転送される時点のサブフレームを基準に予め設定されたサブフレーム個数の以後、最も速いプライマリーセルのアップリンクサブフレームでＨＡＲＱ ＡＣＫ／ＮＡＣＫを転送することができる。この際、ＨＡＲＱ ＡＣＫ／ＮＡＣＫを転送する時点でプライマリーセルを含んだ他のセルに対するＨＡＲＱ ＡＣＫ／ＮＡＣＫを共に転送しなければならないのなら、端末はセル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００６６】
（第２実施形態）
第２実施形態は、ＴＤＤ無線通信システムにおいて、プライマリーセルで他のセカンダリーセルのダウンリンクデータ転送と関連したＰＤＣＣＨを転送する場合、他のセカンダリーセルのＰＤＳＣＨ転送とプライマリーセルでのアップリンクＨＡＲＱ ＡＣＫ／ＮＡＣＫ転送などのタイミング関係を定義する具体的な方法を説明する。
【００６７】
図７は、本発明の第２実施形態に従うチャンネル送受信方法を示す図である。即ち、図７は、構成搬送波ＣＣ１ ７０１はプライマリーセルとしてＴＤＤ ＵＬ−ＤＬ設定＃２、構成搬送波ＣＣ２ ５０２はセカンダリーセルとしてＴＤＤ ＵＬ−ＤＬ設定＃６、構成搬送波ＣＣ３ ５０３はセカンダリーセルとしてＴＤＤ ＵＬ−ＤＬ設定＃３、構成搬送波ＣＣ４ ５０４はセカンダリーセルとしてＴＤＤ ＵＬ−ＤＬ設定＃０として各々動作する例を示す。ここで、構成搬送波ＣＣ２、ＣＣ３、ＣＣ４の３個としてセカンダリーセルを構成した場合を仮定して説明しているが、他の個数の構成搬送波がセカンダリーセルとして設定されている場合にも適用可能である。また、同一なＴＤＤ ＵＬ−ＤＬ設定を有するセル同士グループ化してグループ化したセルの中のみでクロスキャリアスケジューリングをする場合でも第２実施形態が適用可能である。また、第２実施形態は各セルがＰＤＳＣＨ転送に対するスケジューリングを各セル自体で遂行するセルフ−スケジューリングする場合も適用できる。
【００６８】
図７で、各々プライマリーセルである構成搬送波ＣＣ１ ７０１の内でＰＤＳＣＨをスケジューリングする動作と、セカンダリーセルである構成搬送波ＣＣ３ ７０３の内でＰＤＳＣＨをスケジューリングする動作は、即ちクロスキャリアスケジューリングを遂行しない動作は、既存ＬＴＥ ＴＤＤシステムの動作と同一である。しかしながら、各々セカンダリーセルである構成搬送波ＣＣ２ ７０２のＰＤＳＣＨをプライマリーセルである構成搬送波ＣＣ１ ７０１のＰＤＣＣＨを介してスケジューリングする動作やセカンダリーセルである構成搬送波ＣＣ４ ７０４のＰＤＳＣＨをセカンダリーセルである構成搬送波ＣＣ３ ７０３のＰＤＣＣＨを介してスケジューリングする動作、即ちクロスキャリアスケジューリングを遂行する動作は、既存ＬＴＥシステムでは定義されない動作であって、新たな定義が必要である。特に、端末がセカンダリーセルでのＰＤＳＣＨに対するＨＡＲＱ ＡＣＫ／ＮＡＣＫをプライマリーセルで転送するためのタイミング関係が新しく定義されなければならない。
【００６９】
まず、クロスキャリアスケジューリング情報を転送するＰＤＣＣＨと、これに従うＰＤＳＣＨのタイミング関係を簡単に説明する。図７を参照すると、基地局はプライマリーセルＣＣ１ ７０１でダウンリンクサブフレームに設定されたラジオフレームｉのサブフレーム＃５を通じてセカンダリーセルＣＣ２ ７０２のＰＤＳＣＨをスケジューリングするＰＤＣＣＨ ７０６を転送する。この際、ＰＤＣＣＨ ７０６が転送される時点でセカンダリーセルＣＣ２ ７０２のサブフレームがダウンリンクサブフレームに設定されているので、セカンダリーセルＣＣ２ ７０２のサブフレームでダウンリンク転送が可能である。
【００７０】
次に、基地局がプライマリーセルＣＣ１ ７０１でダウンリンクサブフレームに設定されたラジオフレームｉのサブフレーム＃３でセカンダリーセルＣＣ２ ７０２のＰＤＳＣＨ ７１３をスケジューリングするＰＤＣＣＨ ７０５を転送しようとすると仮定する。セカンダリーセルＣＣ２ ７０２でラジオフレームｉのサブフレーム＃３はアップリンクサブフレームである。これによって、セカンダリーセルＣＣ２ ７０２のサブフレームでダウンリンク転送が可能でない。ここに、基地局はプライマリーセルであるＣＣ１ ７０１で転送されたＰＤＣＣＨ ７０５が転送された時点から最も近い時点に到来するセカンダリーセルのダウンリンクサブフレーム＃５でのＰＤＳＣＨ ７０９をクロスキャリアスケジューリングする。
【００７１】
この場合、端末はセカンダリーセルＣＣ２ ７０２で上記ラジオフレームｉのサブフレーム＃５でＰＤＳＣＨ ７０９を受信すれば、プライマリーセルでＰＤＳＣＨ ７０７が転送されたと仮定する。そして、端末は＜表２＞に定義されたＴＤＤ ＵＬ−ＤＬ設定＃２のタイミング関係によって、７サブフレームの以後であるラジオフレームｉ＋１のサブフレーム＃２でアップリンクＨＡＲＱ ＡＣＫ／ＮＡＣＫ ７０８を転送する。即ち、基地局からＰＤＳＣＨを受信し、これに対するアップリンクＨＡＲＱ ＡＣＫ／ＮＡＣＫ転送する時、端末はＰＤＳＣＨがプライマリーセルの同一サブフレームで受信されたと仮定して、ＰＤＳＣＨとＨＡＲＱ ＡＣＫ／ＮＡＣＫとの間のタイミング関係は、プライマリーセルに適用されたＴＤＤ ＵＬ−ＤＬ設定によって既存ＬＴＥ ＴＤＤシステムで定義された規則をそのまま適用する。
【００７２】
次に、図７の例で、基地局はプライマリーセルＣＣ１ ７０１でダウンリンクサブフレームに設定されたラジオフレームｉ＋１のサブフレーム＃０でセカンダリーセルＣＣ２のＰＤＳＣＨをスケジューリングするＰＤＣＣＨ ７１０を転送し、セカンダリーセルＣＣ３ ７０３で同一フレームの同一サブフレームでセカンダリーセルＣＣ４のＰＤＳＣＨ７１４をスケジューリングするＰＤＣＣＨ ７１３を転送すると仮定する。この際、同一な時点でセカンダリーセルＣＣ２ ７０２とＣＣ４ ７０４、各々のサブフレームはダウンリンクサブフレームに設定されているので、該当サブフレームでダウンリンク転送が可能である。
【００７３】
端末がセカンダリーセルＣＣ２ ７０２とＣＣ４ ７０４の各々はラジオフレームｉ＋１のサブフレーム＃０でＰＤＳＣＨ ７１２とＰＤＳＣＨ ７１４を各々受信する。すると、端末はプライマリーセルＣＣ１ ７０１でＰＤＳＣＨ ７１１が転送されたと仮定し、＜表２＞に定義されたＴＤＤ ＵＬ−ＤＬ設定＃２のタイミング関係によって、７サブフレームの以後であるラジオフレームｉ＋１のサブフレーム＃７でアップリンクＨＡＲＱ ＡＣＫ／ＮＡＣＫ ７１５を転送する。即ち、基地局からＰＤＳＣＨを受信し、これに対するアップリンクＨＡＲＱ ＡＣＫ／ＮＡＣＫを転送する時、端末はＰＤＳＣＨがプライマリーセルの同一サブフレームで受信されたと仮定して、ＰＤＳＣＨとＨＡＲＱ ＡＣＫ／ＮＡＣＫとの間のタイミング関係にプライマリーセルに適用されたＴＤＤ ＵＬ−ＤＬの設定によって既存ＬＴＥ ＴＤＤシステムで定義された規則をそのまま適用する。
【００７４】
第２実施形態において、端末の動作を要約すると、セカンダリーセルのＰＤＳＣＨが転送されるサブフレームと同一サブフレームのプライマリーセルでＰＤＳＣＨが転送されたと仮定した場合、端末はプライマリーセルに適用されたＴＤＤ ＵＬ−ＤＬの設定によって既存ＬＴＥ ＴＤＤシステムで定義された規則をそのまま適用する。そして、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００７５】
第２実施形態において、クロスキャリアスケジューリング、即ち第１セルでＰＤＣＣＨが転送され、第２セルでＰＤＳＣＨが転送される例に対して説明したが、これに限定されるものではない。第２実施形態でセルフ−スケジューリングが遂行される場合、即ちＣＩＦが設定されず、ＰＤＣＣＨ転送とこれに該当するＰＤＳＣＨ転送が１つのセルで各々遂行されれば、端末は特定セカンダリーセルのＰＤＳＣＨが転送されるサブフレームと同一なサブフレームのプライマリーセルでＰＤＳＣＨが転送されたと仮定する。そして、端末はプライマリーセルに適用されたＴＤＤ ＵＬ−ＤＬの設定によって既存ＬＴＥ ＴＤＤシステムで定義された規則によりプライマリーセルのアップリンクサブフレームでＨＡＲＱ ＡＣＫ／ＮＡＣＫを転送することができる。この際、ＨＡＲＱ ＡＣＫ／ＮＡＣＫを転送する時点でプライマリーセルを含んだ他のセルに対するＨＡＲＱ ＡＣＫ／ＮＡＣＫを共に転送しなければならないのなら、端末はセル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００７６】
（第３実施形態）
第３実施形態は、ＴＤＤ無線通信システムにおいて、プライマリーセルでない第１のセカンダリーセルで第２のセカンダリーセルのダウンリンクデータ転送と関連したＰＤＣＣＨが転送される時、第２のセカンダリーセルのＰＤＳＣＨ転送とプライマリーセルでのアップリンクＨＡＲＱ ＡＣＫ／ＮＡＣＫ転送などのタイミング関係を定義する具体的な方法を説明する。以下、図８を用いて説明する。
【００７７】
図８は、本発明の第３実施形態に従うチャンネル送受信方法を示す図である。
【００７８】
図８を参照すると、３個の構成搬送波が結合されたＴＤＤシステムにおいて、構成搬送波ＣＣ１ ８０１はプライマリーセルとしてＴＤＤ ＵＬ−ＤＬ設定＃０、構成搬送波ＣＣ２ ８０２はセカンダリーセルとしてＴＤＤ ＵＬ−ＤＬ設定＃２、構成搬送波ＣＣ３ ８０３はセカンダリーセルとしてＴＤＤ ＵＬ−ＤＬ設定＃３として各々動作する例を示す。ここで、図８は構成搬送波ＣＣ２ ８０２、ＣＣ３ ８０３がセカンダリーセルで構成されたと仮定しているが、異なる個数の構成搬送波がセカンダリーセルとして設定されている場合にも適用できる。また、同一なＴＤＤ ＵＬ−ＤＬ設定を有するセル同士グルーピングし、グルーピングされたセルの中のみでクロスキャリアスケジューリングをする場合でも第３実施形態が適用できる。また、各セルがＰＤＳＣＨ転送に対するスケジューリングを各セル自体で遂行するセルフ−スケジューリングする場合も第３実施形態が適用できる。
【００７９】
図８で、セカンダリーセルである構成搬送波ＣＣ２の内でＰＤＳＣＨをスケジューリングする動作は、即ちクロスキャリアスケジューリングを遂行しない動作は、既存ＬＴＥ ＴＤＤシステムの動作と同一である。
【００８０】
しかしながら、構成搬送波ＣＣ３ ８０３のＰＤＳＣＨをセカンダリーセルである構成搬送波ＣＣ２ ８０２のＰＤＣＣＨを介してスケジューリングする動作、即ちクロスキャリアスケジューリングを遂行する動作は、既存ＬＴＥシステムでは定義されない動作であって、新たな定義が必要である。特に、端末がセカンダリーセルでのＰＤＳＣＨに対するＨＡＲＱ ＡＣＫ／ＮＡＣＫをプライマリーセルで転送するためのタイミング関係を定義しなければならない。
【００８１】
まず、クロスキャリアスケジューリング情報を転送するＰＤＣＣＨとこれに従うＰＤＳＣＨのタイミングを簡単に説明する。図８で、基地局はセカンダリーセルＣＣ２ ８０２でダウンリンクサブフレームに設定されたラジオフレームｉのサブフレーム＃５でセカンダリーセルＣＣ３のＰＤＳＣＨをスケジューリングするＰＤＣＣＨ ８０６を転送しようとする。上記の例では同一な時点でセカンダリーセルＣＣ３ ８０３のサブフレームがダウンリンクサブフレームに設定されているので、該当サブフレームでダウンリンク転送が可能である。しかしながら、基地局がセカンダリーセルＣＣ２ ８０２でダウンリンクサブフレームに設定されたラジオフレームｉのサブフレーム＃３でセカンダリーセルＣＣ３ ８０３のＰＤＳＣＨ ８０７をスケジューリングするＰＤＣＣＨを転送しようとすれば、本発明ではセカンダリーセルであるＣＣ２ ８０２で転送されたＰＤＣＣＨは上記時点から最も近い時点に到来するセカンダリーセルＣＣ３ ８０３のダウンリンクサブフレーム＃５でのＰＤＳＣＨ ８０７をクロスキャリアスケジューリングする。
【００８２】
端末は、セカンダリーセルＣＣ３ ８０３のラジオフレームｉサブフレーム＃５でＰＤＳＣＨ ８０７を受信すれば、セカンダリーセルでＰＤＳＣＨが転送された時点のサブフレームと同一な時点のプライマリーセルサブフレームでＰＤＳＣＨ ８０４が転送されたと仮定する。そして、端末は＜表２＞に定義されたＴＤＤ ＵＬ−ＤＬ設定＃０のタイミング関係によって、４サブフレームの以後であるラジオフレームｉのサブフレーム＃９でアップリンクＨＡＲＱ ＡＣＫ／ＮＡＣＫ ８０８を転送する。即ち、ＰＤＳＣＨがプライマリーセルの同一サブフレームで受信されたと仮定した場合、端末が基地局からＰＤＳＣＨを受信し、これに対するアップリンクＨＡＲＱ ＡＣＫ／ＮＡＣＫ転送する時、ＰＤＳＣＨとＨＡＲＱ ＡＣＫ／ＮＡＣＫとの間のタイミング関係はプライマリーセルに適用されたＴＤＤ ＵＬ−ＤＬ設定によって既存ＬＴＥ ＴＤＤシステムで定義された規則をそのまま適用する。
【００８３】
第３実施形態の動作を要約すると、プライマリーセルでクロスキャリアスケジューリング情報を転送するＰＤＣＣＨが転送されず、第１のセカンダリーセルでクロスキャリアスケジューリング情報を転送するＰＤＣＣＨが転送され、第２のセカンダリーセルのＰＤＳＣＨが転送されるサブフレームと同一サブフレームのプライマリーセルでＰＤＳＣＨが転送された場合、端末はプライマリーセルに適用されたＴＤＤ ＵＬ−ＤＬの設定によって既存ＬＴＥ ＴＤＤシステムで定義された規則をそのまま適用する。そして、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００８４】
第３実施形態において、クロスキャリアスケジューリング、即ち第１セルでＰＤＣＣＨが転送され、第２セルでＰＤＳＣＨが転送される例に対して説明したが、これに限定されるものではない。第３実施形態において、セルフ−スケジューリングが遂行される場合、即ちＣＩＦが設定されず、ＰＤＣＣＨ転送とこれに該当するＰＤＳＣＨ転送が１つのセルで各々遂行されれば、端末は特定セカンダリーセルのＰＤＳＣＨが転送されるサブフレームと同一なサブフレームのプライマリーセルでＰＤＳＣＨが転送されたと仮定する。そして、端末はプライマリーセルに適用されたＴＤＤ ＵＬ−ＤＬの設定によって既存ＬＴＥ ＴＤＤシステムで定義された規則によりプライマリーセルのアップリンクサブフレームでＨＡＲＱ ＡＣＫ／ＮＡＣＫを転送することができる。この際、ＨＡＲＱ ＡＣＫ／ＮＡＣＫを転送する時点でプライマリーセルを含んだ他のセルに対するＨＡＲＱ ＡＣＫ／ＮＡＣＫを共に転送しなければならないのなら、端末はセル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００８５】
（第４実施形態）
第４実施形態は、ＴＤＤ無線通信システムにおいて、プライマリーセルでない第１のセカンダリーセルで第２のセカンダリーセルのダウンリンクデータ転送と関連したＰＤＣＣＨを転送する時、第２のセカンダリーセルのＰＤＳＣＨ転送とプライマリーセルでのアップリンクＨＡＲＱ ＡＣＫ／ＮＡＣＫ転送などのタイミング関係を定義する具体的な方法を説明する。以下、図９を用いて説明する。
【００８６】
図９は、本発明の第４実施形態に従うチャンネル送受信方法を示す図である。
【００８７】
図９を参照すると、３個の構成搬送波が結合されたＴＤＤシステムであって、構成搬送波ＣＣ１ ９０１はプライマリーセルとしてＴＤＤ ＵＬ−ＤＬ設定＃０、構成搬送波ＣＣ２ ９０２はセカンダリーセルとしてＴＤＤ ＵＬ−ＤＬ設定＃２、構成搬送波ＣＣ３ ９０３はセカンダリーセルとしてＴＤＤ ＵＬ−ＤＬ設定＃１として各々動作する例を示す。図９で、構成搬送波ＣＣ２、ＣＣ３の２つでセカンダリーセルが構成されたと仮定するが、異なる個数の構成搬送波がセカンダリーセルとして設定できる。また、同一なＴＤＤ ＵＬ−ＤＬ設定を有するセル同士グループ化して、グループ化したセルの中のみでクロスキャリアスケジューリングする場合でも第４実施形態が適用可能である。また、各セルがＰＤＳＣＨ転送に対するスケジューリングを各セル自体で遂行するセルフ−スケジューリングする場合も第４実施形態が適用可能である。
【００８８】
図９で、セカンダリーセルである構成搬送波ＣＣ２ ９０２の内でＰＤＳＣＨをスケジューリングする動作は、即ちクロスキャリアスケジューリングを遂行しない動作は既存ＬＴＥ ＴＤＤシステムの動作と同一である。しかしながら、セカンダリーセルである構成搬送波ＣＣ３ ９０３のＰＤＳＣＨをセカンダリーセルである構成搬送波ＣＣ２ ９０２のＰＤＣＣＨを介してスケジューリングする動作、即ちクロスキャリアスケジューリングを遂行する動作は、既存ＬＴＥシステムでは定義されない動作であって、新たな定義が必要である。特に、端末でセカンダリーセルでのＰＤＳＣＨに対するＨＡＲＱ ＡＣＫ／ＮＡＣＫをプライマリーセルで転送するためのタイミング関係が定義されなければならない。
【００８９】
まず、クロスキャリアスケジューリング情報を転送するＰＤＣＣＨとこれに従うＰＤＳＣＨのタイミング関係を簡単に説明する。図９で、基地局はセカンダリーセルＣＣ２ ９０２のダウンリンクサブフレームに設定されたラジオフレームｉのサブフレーム＃３でセカンダリーセルＣＣ３ ９０３のＰＤＳＣＨをスケジューリングするＰＤＣＣＨ ９０４を転送する。この際、ＰＤＣＣＨ ９０４が転送される時点でセカンダリーセルＣＣ３ ９０３のサブフレームがアップリンクサブフレームに設定されている。したがって、セカンダリーセルＣＣ３ ９０３でダウンリンク転送が可能でないので、セカンダリーセルであるＣＣ２ ９０２で転送されたＰＤＣＣＨ ９０４は、転送された時点から最も近い時点に到来するセカンダリーセルＣＣ３ ９０３のダウンリンクサブフレーム＃４でＰＤＳＣＨ ９０５をクロスキャリアスケジューリングする。
端末はセカンダリーセルＣＣ３ ９０３のラジオフレームｉのサブフレーム＃４でＰＤＳＣＨ ９０５が受信されれば、ＰＤＳＣＨ ９０５が転送された時点でプライマリーセルのサブフレームを確認する。プライマリーセルのサブフレームがアップリンクサブフレーム９０６であれば、端末はＰＤＳＣＨ ９０５が転送された時点で最も近い時点に到来するプライマリーセルのダウンリンクサブフレーム＃５でＰＤＳＣＨ ９０７が転送されたと仮定する。
【００９０】
そして、端末は＜表２＞に定義されたＴＤＤ ＵＬ−ＤＬ設定＃０のタイミング関係によって、４サブフレームの以後であるラジオフレームｉのサブフレーム＃９でアップリンクＨＡＲＱ ＡＣＫ／ＮＡＣＫ ９０８を転送する。即ち、端末が基地局からＰＤＳＣＨを受信し、これに対するアップリンクＨＡＲＱ ＡＣＫ／ＮＡＣＫ転送する時、ＰＤＳＣＨが受信された時点のプライマリーセルサブフレームがアップリンクサブフレームであれば、端末はプライマリーセルで最も近い時点に到来するダウンリンクサブフレームでＰＤＳＣＨが受信されたと仮定する。そして、端末はＰＤＳＣＨとＨＡＲＱ ＡＣＫ／ＮＡＣＫとの間のタイミング関係はプライマリーセルに適用されたＴＤＤ ＵＬ−ＤＬ設定によって既存ＬＴＥ ＴＤＤシステムで定義された規則をそのまま適用する。
【００９１】
第４実施形態において、端末の動作を要約すると、プライマリーセルでクロスキャリアスケジューリング情報を転送するＰＤＣＣＨが転送されず、第１のセカンダリーセルでクロスキャリアスケジューリング情報を転送するＰＤＣＣＨが転送され、これに従う第２のセカンダリーセルのＰＤＳＣＨタイミング関係は、該当ＰＤＳＣＨが転送される時点でプライマリーセルのサブフレームがアップリンクサブフレームであれば、端末はプライマリーセルで最も近い時点に到来するダウンリンクサブフレームでＰＤＳＣＨが転送されたと仮定する。そして、端末はプライマリーセルに適用されたＴＤＤ ＵＬ−ＤＬ設定によって既存ＬＴＥ ＴＤＤシステムで定義された規則をそのまま適用する。また、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００９２】
第４実施形態において、クロスキャリアスケジューリング、即ち第１セルでＰＤＣＣＨが転送され、第２セルでＰＤＳＣＨが転送される例に対して説明したが、これに限定されるものではない。第４実施形態において、セルフ−スケジューリングが遂行される場合、即ちＣＩＦが設定されず、ＰＤＣＣＨ転送とこれに該当するＰＤＳＣＨ転送が１つのセルで各々遂行されれば、端末は特定セカンダリーセルのＰＤＳＣＨが転送されるサブフレームと最も近い時点のプライマリーセルのダウンリンクサブフレームでＰＤＳＣＨが転送されたと仮定する。そして、端末はプライマリーセルに適用されたＴＤＤ ＵＬ−ＤＬ設定によって既存ＬＴＥ ＴＤＤシステムで定義された規則によりプライマリーセルのアップリンクサブフレームでＨＡＲＱ ＡＣＫ／ＮＡＣＫを転送することができる。この際、ＨＡＲＱ ＡＣＫ／ＮＡＣＫを転送する時点でプライマリーセルを含んだ他のセルに対するＨＡＲＱ ＡＣＫ／ＮＡＣＫを共に転送しなければならないのなら、端末はセル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【００９３】
次に、第２乃至４実施形態に該当する基地局手続きと端末手続きを説明する。
【００９４】
図１０は、本発明の第２乃至４実施形態に従うクロスキャリアスケジューリングを適用する場合の基地局手続きを示す図である。
【００９５】
図１０を参照すると、端末にデータを転送するために、基地局はステップ１０１０でＰＤＣＣＨを生成して‘第１セル’で転送し、ＰＤＳＣＨを生成して‘第２セル’で転送する。次に、基地局はステップ１０２０で、‘第２セル’でＰＤＳＣＨが転送されるサブフレームと同一な時点のプライマリーセルサブフレームがダウンリンクサブフレームであるかを判断する。
【００９６】
仮に、プライマリーセルサブフレームがダウンリンクサブフレームであれば、基地局はステップ１０３０で確認されたプライマリーセルのダウンリンクサブフレームでＰＤＳＣＨをスケジューリングしたと仮定する。そして、基地局はプライマリーセルに定義されたタイミング関係によって端末からアップリンクＨＡＲＱ ＡＣＫ／ＮＡＣＫを受信する。一方、プライマリーセルサブフレームがダウンリンクサブフレームでなければ、基地局はステップ１０４０でプライマリーセルでＰＤＳＣＨが転送された時点の以後に最も速く表れるダウンリンクサブフレームでＰＤＳＣＨをスケジューリングしたと仮定する。そして、基地局はプライマリーセルに対して定義されたタイミング関係によって端末からアップリンクＨＡＲＱ ＡＣＫ／ＮＡＣＫを受信する。
【００９７】
そして、基地局はステップ１０５０で、ステップ１０３０またはステップ１０４０を通じて受信したＨＡＲＱ ＡＣＫ／ＮＡＣＫを確認する。そして、受信されたＨＡＲＱ ＡＣＫ／ＮＡＣＫがＮＡＣＫであれば、基地局はＰＤＳＣＨに対する再転送を遂行する。しかしながら、受信されたＨＡＲＱ ＡＣＫ／ＮＡＣＫがＡＣＫであれば、基地局は新たなＰＤＳＣＨを転送する。次に、基地局はまたステップ１０１０に移動してＰＤＳＣＨ再転送または新たなＰＤＳＣＨスケジューリングのためのＰＤＣＣＨを転送するか否かを判断して前述した手続きをまた遂行する。
【００９８】
図１１は、本発明の第２乃至４実施形態に従うクロスキャリアスケジューリングを適用する場合の端末の手続きを示す図である。
【００９９】
図１１を参照すると、端末はステップ１１１０で基地局からＰＤＣＣＨを受信する。この際、端末は基地局がどの時点にどの構成搬送波でＰＤＣＣＨを転送するかが予め分からない。したがって、端末は毎サブフレーム毎にＰＤＣＣＨを復号するように設定された構成搬送波に対してＰＤＣＣＨに対する検出を試みる。端末は、受信したＰＤＣＣＨに対して自分に割り当てられた固有のＵＥ−ＩＤでＣＲＣチェックをする。
【０１００】
仮に、ＰＤＣＣＨが自分のスケジューリング情報であれば、端末はステップ１１２０でＰＤＣＣＨに含まれている搬送波指示子（carrier indicator；ＣＩ）が指示するセルでＰＤＳＣＨを受信する。そして、端末はステップ１１３０で上記ＰＤＳＣＨが受信されるサブフレームと同一な時点のプライマリーセルのサブフレームがダウンリンクサブフレームであるかを判断する。
【０１０１】
仮に、プライマリーセルのサブフレームがダウンリンクサブフレームであれば、端末はステップ１１４０でプライマリーセルのダウンリンクサブフレームでＰＤＳＣＨを受信したと仮定する。そして、端末はプライマリーセルに定義されたタイミング関係によってアップリンクＨＡＲＱ ＡＣＫ／ＮＡＣＫを送信する。プライマリーセルのサブフレームがダウンリンクサブフレームでなければ、端末はステップ１１５０で、プライマリーセルで以後に最も速く表れるダウンリンクサブフレームでＰＤＳＣＨを受信したと仮定する。そして、端末はプライマリーセルに対して定義されたタイミング関係によってアップリンクＨＡＲＱ ＡＣＫ／ＮＡＣＫを送信する。次に、端末はステップ１１１０に移動してステップ１１４０またはステップ１１５０で転送したＨＡＲＱ ＡＣＫ／ＮＡＣＫによってＰＤＳＣＨに対する再受信を準備するか、新たなＰＤＳＣＨの受信を準備する。この際、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【０１０２】
（第５実施形態）
第５実施形態は、ＴＤＤ無線通信システムにおいて、プライマリーセルでセカンダリーセルのダウンリンクデータ転送と関連したＰＤＣＣＨを転送する時、セカンダリーセルのＰＤＳＣＨ転送とプライマリーセルに制限されない任意の１つのセルでのアップリンクＨＡＲＱ ＡＣＫ／ＮＡＣＫ転送などのタイミング関係を定義する具体的な方法を説明する。ＬＴＥ−ＡではＰＵＣＣＨ転送がプライマリーセルに限定されているが、第５実施形態でＰＵＣＣＨ転送するセルをプライマリーセルに限定せず、任意の１つのセルでＰＵＣＣＨ転送を許容することを仮定する。
【０１０３】
図１２は、本発明の第５実施形態に従うチャンネル送受信方法を示す図である。
【０１０４】
図１２を参照すると、３個の構成搬送波が結合されたＴＤＤシステムであって、構成搬送波ＣＣ１ １２０１はプライマリーセルとしてＴＤＤ ＵＬ−ＤＬ設定＃３、構成搬送波ＣＣ２ １２０２はセカンダリーセルとしてＴＤＤ ＵＬ−ＤＬ設定＃２、構成搬送波ＣＣ３ １２０３はセカンダリーセルとしてＴＤＤ ＵＬ−ＤＬ設定＃１として各々動作する例を示す。図１２は、構成搬送波ＣＣ２ １００２、ＣＣ３ １００３でセカンダリーセルを構成すると仮定しているが、異なる個数の構成搬送波がセカンダリーセルとして設定されている場合にも適用可能である。
【０１０５】
また、同一なＴＤＤ ＵＬ−ＤＬ設定を有するセル同士グループ化して、グループ化したセルの中のみでクロスキャリアスケジューリングをする場合でも第５実施形態が適用可能である。また、各セルがＰＤＳＣＨ転送に対するスケジューリングを各セル自体で遂行するセルフ−スケジューリングする場合も第５実施形態が適用可能である。
【０１０６】
図１２で、プライマリーセルである構成搬送波ＣＣ１ １２０１の内でＰＤＳＣＨをスケジューリングする動作は、即ちクロスキャリアスケジューリングを遂行しない動作は既存ＬＴＥ ＴＤＤシステムの動作と同一である。
【０１０７】
しかしながら、セカンダリーセルである構成搬送波ＣＣ２ １２０２とＣＣ３ １２０３のＰＤＳＣＨをプライマリーセルである構成搬送波ＣＣ１ １２０１のＰＤＣＣＨを介してスケジューリングする動作、即ちクロスキャリアスケジューリングを遂行する動作は、既存ＬＴＥシステムでは定義されない動作であって、新たな定義が必要である。特に、端末がセカンダリーセルでのＰＤＳＣＨに対するＨＡＲＱ ＡＣＫ／ＮＡＣＫを任意の１つのセルで転送するためのタイミング関係が定義されなければならない。
【０１０８】
まず、クロスキャリアスケジューリング情報を転送するＰＤＣＣＨとこれに従うＰＤＳＣＨのタイミング関係を簡単に説明する。図１２で、基地局はプライマリーセルＣＣ１ １２０１でダウンリンクサブフレームに設定されたラジオフレームｉのサブフレーム＃１でセカンダリーセルＣＣ２ １２０２とＣＣ３ １２０３のＰＤＳＣＨを各々スケジューリングするためのＰＤＣＣＨ１２０４、ＰＤＣＣＨ１２０５を各々転送しようとする。上記の例では同一な時点でセカンダリーセルＣＣ２ １２０２とＣＣ３ １２０３のサブフレームが各々ダウンリンクサブフレームに設定されているので、該当サブフレームでダウンリンク転送が可能である。
【０１０９】
端末はセカンダリーセルＣＣ２ １２０２とＣＣ３ １２０３で上記ラジオフレームｉのサブフレーム＃１でＰＤＳＣＨ１２０６とＰＤＳＣＨ１２０７を各々受信すれば、端末に設定された全てのセルのサブフレームを比較した時、該当時点から４サブフレームの以後に到来する最も近いアップリンクサブフレームが存在するセルでＨＡＲＱ ＡＣＫ／ＮＡＣＫ１２０８を転送する。図１２を参照すると、ＣＣ２ １２０２のサブフレーム＃７とＣＣ３ １２０３のサブフレーム＃７でアップリンクサブフレームが存在するので、端末は事前設定された規則によって１つのセルを選択してＨＡＲＱ ＡＣＫ／ＮＡＣＫを転送する。
【０１１０】
この際、事前設定された規則の１つの実施形態は、プライマリーセルにアップリンクフレームが存在しない場合、端末は低いインデックスのセルを選択してＨＡＲＱ ＡＣＫ／ＮＡＣＫ１２０８を転送する方法である。そして、事前設定された規則のうち、他の実施形態はプライマリーセルにアップリンクフレームが存在する場合、端末はプライマリーセルのアップリンクフレームを選択して、ＨＡＲＱ ＡＣＫ／ＮＡＣＫ１２０９を転送する方法である。事前設定された規則の他の実施形態は、端末がＲＲＣシグナリングまたは専用（dedicated）シグナリングを通じて１つのセルを称し、端末は上記選択されたセルでＨＡＲＱ ＡＣＫ／ＮＡＣＫを転送する方法である。
【０１１１】
第５実施形態において、端末の動作を要約すると、特定セルでクロスキャリアスケジューリング情報を転送するＰＤＣＣＨが転送され、これに従う更に他のセルのＰＤＳＣＨのタイミング関係は端末がＰＤＳＣＨが転送される時点から４サブフレームの以後、最も速いアップリンクサブフレームが存在するセルでＨＡＲＱ ＡＣＫ／ＮＡＣＫを転送し、最も速いアップリンクサブフレームが存在するセルが多数であれば事前設定された規則を適用する。
【０１１２】
第５実施形態において、クロスキャリアスケジューリング、即ち第１セルでＰＤＣＣＨが転送され、第２セルでＰＤＳＣＨが転送される例に対して説明したが、これに限定されるものではない。第５実施形態において、セルフ−スケジューリングが遂行される場合、即ちＣＩＦが設定されず、ＰＤＣＣＨ転送とこれに該当するＰＤＳＣＨ転送が１つのセルで各々遂行されれば、端末は特定セルのＰＤＳＣＨが転送される時点のサブフレームを基準に予め設定されたサブフレーム個数の以後、最も速いアップリンクサブフレームが存在するセルでＨＡＲＱ ＡＣＫ／ＮＡＣＫを転送することができる。最も速いアップリンクサブフレームが存在するセルが多数であれば、端末は事前設定された規則を適用する。この際、ＨＡＲＱ ＡＣＫ／ＮＡＣＫを転送する時点でプライマリーセルを含んだ他のセルに対するＨＡＲＱ ＡＣＫ／ＮＡＣＫを共に転送しなければならないのなら、端末はセル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。次に、第５実施形態に該当する基地局手続きと端末手続きを説明する。
【０１１３】
図１３は、本発明の第５実施形態に従ってクロスキャリアスケジューリングを適用する場合の基地局手続きを示す図である。
【０１１４】
図１３を参照すると、端末にデータを転送するために基地局は、ステップ１３１０でＰＤＣＣＨを生成して‘第１セル’で転送し、ＰＤＳＣＨを生成して‘第２セル’で転送する。基地局はステップ１３２０で‘第２セル’のＰＤＳＣＨが転送されるサブフレームを基準に端末に設定された全てのセルで４サブフレームの以後に表れるアップリンクサブフレームが１つであるかを判断する。
【０１１５】
仮に、端末に設定された全てのセルで表れるアップリンクサブフレームが１つであれば、基地局はステップ１３３０でアップリンクサブフレームが表れたセルで端末から転送されるアップリンクＨＡＲＱ ＡＣＫ／ＮＡＣＫを受信する。一方、アップリンクサブフレームが１つでなければ、基地局はステップ１３４０で事前設定された規則によって決まったセルのアップリンクサブフレームで端末から転送されたアップリンクＨＡＲＱ ＡＣＫ／ＮＡＣＫを受信する。この際、上記事前設定された規則は図１２で説明したので、詳細な説明を省略する。
【０１１６】
基地局はステップ１３５０で、ステップ１３３０またはステップ１３４０を通じて受信したＨＡＲＱ ＡＣＫ／ＮＡＣＫによってＰＤＳＣＨを再転送するか、新たなＰＤＳＣＨを転送する。より詳しくは、受信されたＨＡＲＱ ＡＣＫ／ＮＡＣＫがＮＡＣＫであれば、基地局はＰＤＳＣＨに対する再転送を遂行する。一方、受信されたＨＡＲＱ ＡＣＫ／ＮＡＣＫがＡＣＫであれば、基地局は新たなＰＤＳＣＨを転送する。ここに、基地局はまたステップ１３１０に移動してＰＤＳＣＨ再転送または新たなＰＤＳＣＨをスケジューリングするためのＰＤＣＣＨを転送するか否かを判断し、以後、後続手続きは前述した手続きに従う。
【０１１７】
図１４は、本発明の第５実施形態に従ってクロスキャリアスケジューリングを適用する場合の端末の手続きを示す図である。
【０１１８】
図１４を参照すると、端末はステップ１４１０で基地局からＰＤＣＣＨを受信する。この際、基地局がどの時点にどの構成搬送波でＰＤＣＣＨを転送するかが予め分からないので、端末は毎サブフレーム毎にＰＤＣＣＨを復号するように設定された構成搬送波に対してＰＤＣＣＨに対する検出を試みる。そのために、端末は受信したＰＤＣＣＨに対して自分に割り当てられた固有のＵＥ−ＩＤでＣＲＣチェックを遂行する。仮に、受信されたＰＤＣＣＨが自分のスケジューリング情報であれば、端末はステップ１４２０でＰＤＣＣＨに含まれている搬送波指示子（carrier indicator；ＣＩ）が指示するセルでＰＤＳＣＨを受信する。
【０１１９】
次に、端末はステップ１４３０でＰＤＳＣＨが受信されるサブフレームを基準に端末に設定された全てのセルで４サブフレームの以後に表れるアップリンクサブフレームが１つであるかを判断する。仮に、設定された全てのセルでアップリンクサブフレームが１つであれば、端末はステップ１４４０で上記アップリンクサブフレームが表れたセルのアップリンクサブフレームでアップリンクＨＡＲＱ ＡＣＫ／ＮＡＣＫを送信する。
【０１２０】
一方、アップリンクサブフレームが１つでなければ、端末はステップ１４５０で事前設定された規則によって決まったセルのアップリンクサブフレームでアップリンクＨＡＲＱ ＡＣＫ／ＮＡＣＫを送信する。以後、端末はステップ１４１０に移動してステップ１４４０またはステップ１４５０で転送したＨＡＲＱ ＡＣＫ／ＮＡＣＫによってＰＤＳＣＨ再受信または新たなＰＤＳＣＨ受信を準備する。言い換えると、転送したＨＡＲＱ ＡＣＫ／ＮＡＣＫがＮＡＣＫであれば、端末は上記ＰＤＳＣＨに対する再受信を準備する。そして、ＨＡＲＱ ＡＣＫ／ＮＡＣＫがＡＣＫであれば、端末は新たなＰＤＳＣＨの受信を準備する。ここで、端末はＨＡＲＱ ＡＣＫ／ＮＡＣＫを転送する時点でプライマリーセルを含んだ他のセルに対するＨＡＲＱ ＡＣＫ／ＮＡＣＫを共に転送する場合、セル別ＨＡＲＱ ＡＣＫ／ＮＡＣＫをマルチプレキシングする。そして、端末はマルチプレキシングされたセル別ＨＡＲＱ ＡＣＫ／ＮＡＣＫを該当サブフレームを通じて転送する。
【０１２１】
図１５は、本発明の実施形態に従う基地局装置を示す図である。
【０１２２】
図１５を参照すると、基地局装置は、ＰＤＣＣＨブロック１５０５、ＰＤＳＣＨブロック１５１６、ＰＨＩＣＨブロック１５２４、及び多重化器１５１５から構成される送信部と、ＰＵＳＣＨブロック１５３０、ＰＵＣＣＨブロック１５３９、及び逆多重化器１５４９から構成される受信部と、セル及びタイミング制御器１５０１、及びスケジューラ１５０３から構成される。搬送波結合により集積された搬送波の個数によって送信部と受信部（ＰＵＣＣＨブロック除外）は多数であることがあるが、説明のために送信部と受信部が各々１つずつあることを仮定して説明する。送信部でＰＤＣＣＨブロック１５０５はＤＣＩ形成器１５０７、チャンネルコーディング部１５０９、レートマッチング器１５１１、及び変調器１５１３を備え、ＰＤＳＣＨブロック１５１６は、データバッファ１５１７、チャンネルコーディング部１５１９、レートマッチング器１５２１、及び変調器１５２３を備え、ＰＨＩＣＨブロック１５２４は、ＨＡＲＱ ＡＣＫ／ＮＡＣＫ生成器１５２５、ＰＨＩＣＨ形成器１５２７、及び変調器１５２９を備える。受信部でＰＵＳＣＨブロック１５３０は、復調器１５３７、逆レートマッチング器１５３５、チャンネルデコーディング部１５３３、及びデータ獲得部１５３１を備え、ＰＵＣＣＨブロックは、復調器１５４７、逆レートマッチング器１５４５、チャンネルデコーディング部１５４３、ＡＣＫ／ＮＡＣＫ、またはＣＱＩ獲得部１５４１を備える。
【０１２３】
セル及びタイミング制御器１５０１は、端末に転送するデータ量、システムの内に可用なリソース量などを参考してスケジューリングしようとする端末に対してセル選択と各々の物理チャンネルの相互間のタイミング関係を調節して、スケジューラ１５０３、ＰＵＳＣＨブロック１５３０、ＰＵＣＣＨブロック１５３９に知らせる。上記セル選択及びタイミング関係は本発明の具体的な実施形態で説明した方法に従う。ＰＤＣＣＨブロック１５０５は、スケジューラ１５０３の制御を受けてＤＣＩを構成した後（１５０７）、ＤＣＩはチャンネルコーディング部１５０９で誤り訂正能力が付加された後、レートマッチング器１５１１で実際マッピングされるリソース量に合せてレートマッチングされた後、変調器１５１３で変調された後、多重化器１５１５で他の信号と多重化される。
【０１２４】
ＰＤＳＣＨブロック１５１６は、スケジューラ１５０３の制御を受けてデータバッファ１５１７から転送しようとするデータを抽出して、抽出されたデータはチャンネルコーディング部１５１９で誤り訂正能力が付加された後、レートマッチング器１５２１で実際マッピングされるリソース量に合せてレートマッチングされた後、変調器１５２３で変調された後、多重化器１５１５で他の信号と多重化される。
【０１２５】
ＰＨＩＣＨブロック１５２４は、スケジューラ１５０３の制御を受けてＨＡＲＱ ＡＣＫ／ＮＡＣＫ生成器１５２５で端末から受信したＰＵＳＣＨに対するＨＡＲＱ ＡＣＫ／ＮＡＣＫを生成する。上記ＨＡＲＱ ＡＣＫ／ＮＡＣＫは、ＰＨＩＣＨ構成器１５２７を通じてＰＨＩＣＨチャンネル構造に合うように構成され、変調器１５２１５で変調された後、多重化器１５１５で他の信号と多重化される。
【０１２６】
そして、上記多重化された信号はＯＦＤＭ信号で生成されて端末に転送される。
【０１２７】
受信部でＰＵＳＣＨブロック１５３０は、端末から受信した信号に対して逆多重化器１５４９を通じてＰＵＳＣＨ信号を分離した後、復調器１５３７で復調した後、逆レートマッチング部１５３５でレートマッチングの以前のシンボルを再構成した後、チャンネルデコーディング部１５３３でデコーディングし、データ獲得部１５３１でＰＵＳＣＨデートを獲得する。上記データ獲得部１５３１は、デコーディング結果に対する誤りか否かをスケジューラ１５０３に通知してダウンリンクＨＡＲＱ ＡＣＫ／ＮＡＣＫ生成を調整し、デコーディング結果に対する誤りか否かを搬送波結合及びタイミング制御器１５０１に印加してダウンリンクＨＡＲＱ ＡＣＫ／ＮＡＣＫ転送タイミングを調整するようにする。
【０１２８】
ＰＵＣＣＨブロック１５３０は、端末から受信した信号に対して逆多重化器１５４９を通じてＰＵＣＣＨ信号を分離した後、これを復調器１５４７で復調した後、チャンネルデコーディング部１５３３でデコーディングし、アップリンクＡＣＫ／ＮＡＣＫまたはＣＱＩ獲得部１５４１でアップリンクＡＣＫ／ＮＡＣＫまたはＣＱＩを獲得する。上記獲得したアップリンクＡＣＫ／ＮＡＣＫまたはＣＱＩはスケジューラ１５０３に印加されてＰＵＳＣＨを再転送するか否か、及びＭＣＳ（modulation and coding scheme）を決定することに用いられる。そして、上記獲得したアップリンクＡＣＫ／ＮＡＣＫは搬送波結合及びタイミング制御器１７０１に印加されてＰＤＳＣＨの転送タイミングを調整する。
【０１２９】
図１６は、本発明の実施形態に従う端末装置を示す図である。
【０１３０】
図１６を参照すると、端末は、ＰＵＣＣＨブロック１６０５、ＰＵＳＣＨブロック１６１６、及び多重化器１６１５から構成される送信部と、ＰＨＩＣＨブロック１６２４、ＰＤＳＣＨブロック１６３０、ＰＤＣＣＨブロック１６３９、及び逆多重化器１６４９から構成される受信部と、セル及びタイミング制御器１６０１から構成される。送信部において、ＰＵＣＣＨブロック１６０５は、ＵＣＩ形成器１６０７、チャンネルコーディング部１６０９、及び変調器１６１３を備え、ＰＵＳＣＨブロック１６１６は、データバッファ１６１８、チャンネルコーディング部１６１９、レートマッチング器１６２１、及び変調器１６２３を備える。受信部において、ＰＨＩＣＨブロック１６２４は、ＨＡＲＱ ＡＣＫ／ＮＡＣＫ獲得器１６２５、及び変調器１６２９を備え、ＰＤＳＣＨブロック１６３０は、復調器１６３７、逆レートマッチング器１６３５、チャンネルデコーディング部１６３３、及びデータ獲得部１６３１を備え、ＰＤＣＣＨブロック１６３９は、復調器１６４７、逆レートマッチング器１６４５、チャンネルデコーディング部１６４３、及びＤＣＩ獲得部１６４１を備える。搬送波結合により集積された搬送波の個数によって送信部と受信部（ＰＵＣＣＨブロック除外）は多数であることがあるが、説明のために送信部と受信部が各々１つずつのみあることを仮定して説明する。
【０１３１】
セル及びタイミング制御器１６０１は、基地局から受信したＤＣＩから端末の搬送波結合状態を調整し、クロスキャリアスケジューリング時、どの搬送波からＰＤＳＣＨを受信するか否かと、ＨＡＲＱ ＡＣＫ／ＮＡＣＫ転送のためのセル選択及び各々の物理チャンネルの間の送受信タイミング関係を調節して、ＰＵＣＣＨブロック１６０５、ＰＵＳＣＨブロック１６１６、ＰＨＩＣＨブロック１６２４、ＰＤＳＣＨブロック１６３０、及びＰＤＣＣＨブロック１６３９に知らせる。上記セル選択及びタイミング関係は本発明の具体的な実施形態で説明した方法に従う。
【０１３２】
ＰＵＣＣＨブロック１６０５はセル及びタイミング制御器１６０１のタイミング制御を受けてＵＣＩ（Uplink control information）でＨＡＲＱ ＡＣＫ／ＮＡＣＫまたはＣＱＩを構成した後（１６０７）、ＵＣＩはチャンネルコーディング部１６０９で誤り訂正能力が付加され、変調器１６１３で変調された後、多重化器１６１５で他の信号と多重化される。
【０１３３】
ＰＵＳＣＨブロック１６１６はデータバッファ１６１８から転送しようとするデータを抽出して、抽出されたデータはチャンネルコーディング部１６１９で誤り訂正能力が付加された後、レートマッチング器１６２１で実際マッピングされるリソース量に合せてレートマッチングされた後、変調器１６２３で変調された後、多重化器１６１５で他の信号と多重化される。
【０１３４】
そして、上記多重化された信号はＳＣ−ＦＤＭＡ（Single Carrier Frequency Division Multiple Access）信号に生成されて基地局に転送される。
【０１３５】
受信部でＰＨＩＣＨブロック１６２４は端末から受信した信号に対して逆多重化器１６４９を通じてＰＨＩＣＨ信号を分離した後、復調器１６２９で復調された後、ＨＡＲＱ ＡＣＫ／ＮＡＣＫ獲得部１６２５でＰＵＳＣＨに対するＨＡＲＱ ＡＣＫ／ＮＡＣＫか否かを獲得する。
【０１３６】
ＰＤＳＣＨブロック１６３０は基地局から受信した信号に対して逆多重化器１６４９を通じてＰＤＳＣＨ信号を分離した後、復調器１６３７で復調した後、逆レートマッチング部１６３５でレートマッチングの以前のシンボルを再構成した後、チャンネルデコーディング部１６３３でデコーディングし、データ獲得部１６３１でＰＤＳＣＨデートを獲得する。上記データ獲得部１６３１は、デコーディング結果に対する誤りか否かをＰＵＣＣＨブロック１６０５に通知してアップリンクＨＡＲＱ ＡＣＫ／ＮＡＣＫ生成を調整し、デコーディング結果に対する誤りか否かをセル及びタイミング制御器１６０１に印加してアップリンクＨＡＲＱ ＡＣＫ／ＮＡＣＫ転送する時、セル選択及びタイミングを調整するようにする。
【０１３７】
ＰＤＣＣＨブロック１６３９は、基地局から受信した信号に対して逆多重化器１６４９を通じてＰＤＣＣＨ信号を分離した後、これを復調器１６４７で復調した後、チャンネルデコーディング部１６３３でデコーディングし、ＤＣＩ獲得部１６４１でＤＣＩを獲得する。
【０１３８】
一方、本発明の詳細な説明では具体的な実施形態に関し説明したが、本発明の範囲から外れない限度内で種々の変形が可能であることは勿論である。したがって、本発明の範囲は説明された実施形態に限定されず、後述する特許請求範囲だけでなく、この特許請求範囲と均等物により定まるべきである。
【符号の説明】
【０１３９】
１５０１  タイミング制御器
１５０３  スケジューラ
１５０５  ブロック
１５０５、ＰＤＳＣＨ  ブロック
１５０７  ＤＣＩ形成器
１５０９  チャンネルコーディング部
１５１１  レートマッチング器
１５１３  変調器
１５１５  多重化器
１５１６  ブロック
１５１７  データバッファ
１５１９  チャンネルコーディング部
１５２１  レートマッチング器
１５２３  変調器
１５２４  ブロック
１５２５  生成器
１５２７  ＰＨＩＣＨ形成器
１５２７  構成器
１５２９  変調器
１５３０  ブロック
１５３１  データ獲得部
１５３３  チャンネルデコーディング部
１５３５  逆レートマッチング部
１５３７  復調器
１５３９  ブロック
１５４１  獲得部
１５４５  逆レートマッチング器
１５４７  復調器
１５４９  逆多重化器
１６０１  タイミング制御器
１６０５  ブロック
１６０７  ＵＣＩ形成器
１６０９  チャンネルコーディング部
１６１３  変調器
１６１５  多重化器
１６１６  ブロック
１６１８  データバッファ
１６１９  チャンネルコーディング部
１６２１  レートマッチング器
１６２３  変調器
１６２４  ブロック
１６２５  獲得部
１６２９  復調器
１６３０  ブロック
１６３１  データ獲得部
１６３３  チャンネルデコーディング部
１６３５  逆レートマッチング部
１６３７  復調器
１６３９  ブロック
１６４１  獲得部
１６４３  チャンネルデコーディング部
１６４５  逆レートマッチング器
１６４７  復調器
１６４９  逆多重化器
１７０１  タイミング制御器
１５２１５  変調器
【図１】
2014509139.tif 000006
【図２】
2014509139.tif 000007
【図３】
2014509139.tif 000008
【図４】
2014509139.tif 000009
【図５】
2014509139.tif 000010
【図６】
2014509139.tif 000011
【図７】
2014509139.tif 000012
【図８】
2014509139.tif 000013
【図９】
2014509139.tif 000014
【図１０】
2014509139.tif 000015
【図１１】
2014509139.tif 000016
【図１２】
2014509139.tif 000017
【図１３】
2014509139.tif 000018
【図１４】
2014509139.tif 000019
【図１５】
2014509139.tif 000020
【図１６】
2014509139.tif 000021
【国際調査報告】
2014509139.tif 000022
2014509139.tif 000023